(57)【要約】【課題】従来の冷蔵庫は、蓄冷剤の配置により、食品収納量が低下するという課題を有していた。【解決手段】冷蔵室３２内に設けた特定低温室４９を冷却する冷却用ダクト５２内に蓄冷剤５３を設けたものである。これによって、蓄冷剤５３の配置による冷蔵庫８０の食品収納量の減少を防止することができるとともに、蓄冷剤５３の持つ潜熱を有効利用することにより、扉開閉による室内への外気流入や、温度の高い食品を投入された場合、または圧縮機３８が停止した場合、さらには霜取り時の室内の温度の上昇をおさえることで食品保鮮性と省エネルギー性を向上することができる。【選択図】図２
2013190126.tif 000002
【特許請求の範囲】
【請求項１】
冷蔵室内に設けた特定低温室を冷却する冷却用ダクトを備え、前記冷却用ダクト内に蓄冷剤を設けたことを特徴とする冷蔵庫。
【請求項２】
前記蓄冷剤の凝固点を約−７℃〜０℃としたことを特徴とする請求項１に記載の冷蔵庫。
【請求項３】
前記特定低温室の背面に配置する特定低温室ダクト内に特定低温室用ファンを設けたことを特徴とする請求項１または２に記載の冷蔵庫。
【請求項４】
圧縮機の停止中においても前記特定低温室用ファンを運転することを特徴とする請求項３に記載の冷蔵庫。
【発明の詳細な説明】
【技術分野】
【０００１】
本発明は、冷蔵庫の内部に蓄冷剤を備えた冷蔵庫に関するものである。
【背景技術】
【０００２】
近年、冷蔵庫は地球環境保護の観点から更なる省エネルギー化が進むとともに、その使い勝手や食品収納性の向上が求められている。
【０００３】
従来この種の冷蔵庫は、冷蔵庫本体の断熱性能の向上に加え、圧縮機や冷却システムの効率向上により、省エネルギー化を図るのが一般的であったが、蓄冷剤の潜熱を利用し、食品の温度上昇をおさえ、省エネルギー化を図る提案がされている。（例えば、特許文献１参照）。
【０００４】
図７から図９に、特許文献１に記載された従来の実施の形態を示す。
【０００５】
図７は、従来の冷凍冷蔵庫の正面斜視図、図８は、従来の冷凍冷蔵庫の蓄冷剤を収納した急冷容器の正面斜視図。図９は、従来の冷凍冷蔵庫の図７のＢ−Ｂ線に沿う断面図である。
【０００６】
冷凍冷蔵庫１００は、冷凍冷蔵庫本体１の上部に冷蔵室２が設けられ、冷蔵室２には、その前面に観音開きの冷蔵室左扉３及び冷蔵室右扉４が設けられている。冷蔵室２の左下には製氷室５が設けられ、製氷室５は前面に製氷室扉６を備えている。
【０００７】
冷蔵室２の右下には野菜室７が設けられ、野菜室７は前面に野菜室扉８を備えている。製氷室５の下には、冷凍室９が設けられ、冷凍室９は前面に冷凍室扉１０を備えている。図７は、冷凍室扉１０を開いた状態を示している。
【０００８】
冷凍室９の中段及び下段には、２つの冷凍食品収納容器１３、１３が引出し可能に設置されている。冷凍室９の上段には、上方に食品収納空間１１ａを有して冷凍室９内の冷気吹出口１９近傍に熱伝導板１１が設置されている。熱伝導板１１は、アルミニウム等の金属製の熱良伝導体で、冷凍室９内から取外すことができる。熱伝導板１１上に、ご飯や食肉等の急冷が必要な食品１４を載置する。
【０００９】
熱伝導板１１の下の冷気吹出口１９近傍には、上方が開口部１２ａとなり、壁部１２ｂに冷気流入口１７及び冷気流出口１８が設けられ、蓄冷剤１５及び食品１４を収納可能な急冷容器１２が設置される。急冷容器１２の上部にはフランジ１２ｃが設けられ、冷凍室９の左右の側壁に設けられたガイドレール９ａ、９ａ上にフランジ１２ｃを載せ、急冷容器１２を冷凍室９内から引出し可能に設置する。
【００１０】
蓄冷剤１５は、要冷凍食品を購入した際に付属していたり、市販されている蓄冷剤であり、蓄冷剤１５は、水の中にプロピレングリコール等を混ぜ、凝固点を０℃から−１０℃程度まで下げて、丈夫なビニール袋の中に封入したものである。
【００１１】
急冷容器１２の深さｈは、蓄冷剤１５単体の厚さ及び数枚重ね置きする場合を考えると、５ｍｍから５０ｍｍ程度とするのが良い。急冷容器１２の後方の壁部１２ｂに設けられた冷気流入口１７から急冷容器１２内に冷気が流入し、蓄冷剤１５等を冷却・冷凍し、前方の壁部１２ｂに設けられた冷気流出口１８から冷気が流出するようになっている。
【００１２】
図７を参照して冷凍室９の構造及び作用を説明する。図中左側が冷凍室前側で、右側が冷凍室後側であり、冷凍室９は冷凍室扉１０と断熱壁２０で囲まれている。冷凍冷蔵庫１００の通常運転時は、食品取出し時の冷凍室扉１０の開閉により冷凍室９内の温度が上昇すると、冷凍室温度センサー２１がこれを感知して図示しないコンプレッサが運転され、冷却器２２が冷却される。また、室内ファン２３が運転され、冷気が冷凍室９内を循環し、食品１４を冷却する。
【００１３】
冷凍冷蔵庫１００では、食品１４を急冷凍したい場合には、熱伝導板１１の上に食品１４を載せ、熱伝導板１１と室内ファン２３の運転による冷気循環により食品１４から熱を奪い急冷凍させる。室内ファン２３の運転終了後も、急冷容器１２内の蓄冷剤１５により冷凍保存することができる。これにより、食品１４の温度が高い時にも急冷凍することができ、コンプレッサの運転時間を短縮できるので、省エネルギー効果もある。
【先行技術文献】
【特許文献】
【００１４】
【特許文献１】特開２００５−３２１１５４号公報
【発明の概要】
【発明が解決しようとする課題】
【００１５】
しかしながら、前記従来の構成では、冷凍室９内に蓄冷剤１５を収納可能な急冷容器１２が設置されるため、冷凍室９の急冷凍機能の向上は図れるが、冷蔵室内に備えた特定低温室の冷却機能の向上は図ることができないという課題を有していた。
【００１６】
本発明は、前記従来の課題を解決するもので、冷蔵室内に備えた特定低温室の食品収納量を低下せること無く、扉開閉による室内への外気流入や、温度の高い食品を投入された場合、または圧縮機が停止した場合、さらには霜取り時の冷蔵室に備えた特定低温室内の温度の上昇をおさえることで食品保鮮性と省エネルギー性を向上することができる冷蔵庫を提供することを目的とする。
【課題を解決するための手段】
【００１７】
前記従来の課題を解決するために、冷蔵室内に設けた特定低温室を冷却する冷却用ダクトを備え、前記冷却用ダクト内に蓄冷剤を設けたことにより、特定低温室の食品収納量を低下させることなく、蓄冷剤の冷却・冷凍を行うことができ、蓄冷剤の持つ潜熱を有効利用することにより、扉開閉による室内への外気流入や、温度の高い食品を投入された場合、または圧縮機が停止した場合、さらには霜取り時の室内の温度の上昇をおさえることで食品保鮮性と省エネルギー性を向上することができる。
【発明の効果】
【００１８】
本発明の冷蔵庫は、冷蔵室内に設けた特定低温室の食品収納量を低下させること無く、室内の温度の上昇をおさえることで食品保鮮性と省エネルギー性を高めるものである。
【図面の簡単な説明】
【００１９】
【図１】本発明の実施の形態１における冷蔵庫の正面図
【図２】本発明の実施の形態１における図１のＡ−Ａ断面図
【図３】本発明の実施の形態１における冷蔵庫の冷蔵室内部の正面図
【図４】本発明の実施の形態２における冷蔵庫の正面図
【図５】本発明の実施の形態２における図４のＣ−Ｃ断面図
【図６】本発明の実施の形態２における冷蔵庫の冷蔵室内部の正面図
【図７】従来の冷凍冷蔵庫の正面斜視図
【図８】従来の冷凍冷蔵庫の蓄冷剤を収納した急冷容器の正面斜視図
【図９】従来の冷凍冷蔵庫の図７のＢ−Ｂ線に沿う断面図
【発明を実施するための形態】
【００２０】
第１の発明は、冷蔵室内に設けた特定低温室を冷却する冷却用ダクトを備え、前記冷却用ダクト内に蓄冷剤を設けたことにより、特定低温室の食品収納量を低下させることなく、蓄冷剤の冷却・冷凍を行うことができ、蓄冷剤の持つ潜熱を有効利用することにより、扉開閉による室内への外気流入や、温度の高い食品を投入された場合、または圧縮機が停止した場合、さらには霜取り時の室内の温度の上昇をおさえることで食品保鮮性と省エネルギー性を向上することができる。
【００２１】
第２の発明は、第１の発明において、前記蓄冷剤の凝固点を約−７℃〜０℃としたことで、蓄冷剤の潜熱を有効に利用し、扉開閉による室内への外気流入や、温度の高い食品を投入された場合、または圧縮機が停止した場合、さらには霜取り時の室内の温度の上昇をおさえることで食品保鮮性と省エネルギー性を向上することができる。
【００２２】
第３の発明は、第１または第２の発明において、特定低温室の背面に設けた特定低温室ダクト内に特定低温室用ファンを設けたものであり、蓄冷剤への冷却効率、蓄冷剤からの冷却効率が向上し、蓄冷剤の潜熱をさらに利用し、扉開閉による室内への外気流入や、温度の高い食品を投入された場合、または圧縮機が停止した場合、さらには霜取り時の室内の温度の上昇をおさえることで食品保鮮性と省エネルギー性を向上することができる。
【００２３】
第４の発明は、第３の発明において、圧縮機の停止中においても特定低温室用ファンを運転することにより、蓄冷剤の持つ潜熱を有効利用することにより、扉開閉による室内への外気流入や、温度の高い食品を投入された場合、または圧縮機が停止した場合、さらには霜取り時の室内の温度の上昇をおさえることで食品保鮮性と省エネルギー性を向上することができる。
【００２４】
以下、本発明の実施の形態について、図面を参照しながら説明する。なお、この実施の形態によってこの発明が限定されるものではない。
【００２５】
（実施の形態１）
図１は、本発明の実施の形態１における冷蔵庫の正面図、図２は、同実施の形態１における図１のＡ−Ａ断面図、図３は同実施の形態１における冷蔵庫の冷蔵室内部の正面図を示すものである。
【００２６】
図１、図２及び図３において、冷蔵庫８０は、冷蔵庫本体３１の上部に冷蔵室３２が設けられ、冷蔵室３２には、その前面に観音開きの冷蔵室左扉３２ａ及び冷蔵室右扉３２ｂが設けられている。冷蔵室３２内には特定低温室４９が設けられ、特定低温室４９には食品を収納する特定低温室ケース５５が設けられている。冷蔵室３２の左下には製氷室３３が設けられ、製氷室３３は前面に製氷室扉３３ａを備えている。冷蔵室３２の右下には上段冷凍室３４が設けられ、上段冷凍室３４は前面に上段冷凍室扉３４ａを備えている。製氷室３３と上段冷凍室３４の下には下段冷凍室３５が設けられ、下段冷凍室３５は前面に下段冷凍室扉３５ａを備えている。下段冷凍室３５の下には野菜室３６が設けられ、野菜室３６は前面に野菜室扉３６ａを備えている。
【００２７】
上段冷凍室３４とその下方に位置する下段冷凍室３５は、前方仕切板３７と上段冷凍室扉３４ａの下辺が当接し、下段冷凍室扉３５ａの上辺が当接することで構成されている。また、上段冷凍室３４とその下方に位置する下段冷凍室３５は、同じ冷凍温度帯の区画であるため、一般的には、上下方向で分割する断熱仕切りは存在せず、連通しているか、連通口を設けた簡易的な仕切板が設けられている。
【００２８】
冷蔵室３２の背面には、冷蔵室３２の冷却を行う冷蔵室用ダクト４６が設けられ、冷蔵室３２内の下部に備えた特定低温室４９の背面には特定低温室ダクト５０及び特定低温室４９の天面には、内部に蓄冷剤５３を配置した冷却用ダクト５２が設けられている。
【００２９】
また、冷蔵室用ダクト４６内の下部および特定低温室ダクト５０内の下部には、それぞれのダクトに対応したフラップを共通の駆動源で動作させるツインダンパ４５を備えている。なお、特定低温室の室内の温度は、ここでは、約−５℃から１℃に設定されている。
【００３０】
以上のように構成された本発明の実施の形態１における冷蔵庫について、以下その動作を説明する。
【００３１】
冷蔵庫８０の通常運転時は、食品取出し時や食品投入時の冷蔵室右扉３２ｂや上段冷凍室扉３４ａ、下段冷凍室扉３５ａの開閉や特定低温室ケース５５の出し入れにより冷蔵室３２や上段冷凍室３４、下段冷凍室３５や特定低温室４９の室内の温度が上昇すると、冷蔵室温度検知手段４８や下段冷凍室温度検知手段４４、特定低温室温度検知手段５４がこれを感知して圧縮機３８が運転され、冷却器３９が冷却される。同時に、冷却用ファン４０が運転され、冷気が上段冷凍室用吹出口４２から上段冷凍室３４に流入し、下段冷凍室用吹出口４３から下段冷凍室３５に流入することで、上段冷凍室３４内や下段冷凍室３５内に配置された食品が冷却される。
【００３２】
また、ツインダンパ４５の冷蔵室用フラップ４５ａが開状態となり、冷却用ファン４０の運転により吹き出した冷気は、冷蔵室用ダクト４６内を通過し、冷蔵室吹出口４７から冷蔵室３２内に流入することで、冷蔵室３２内に配置された食品が冷却される。
【００３３】
さらに、ツインダンパ４５の特定低温室用フラップ４５ｂが開状態となり、冷却用ファン４０の運転により吹き出した冷気は、特定低温室ダクト５０内を通過し、特定低温室吹出口５１から冷却用ダクト５２内に設けた蓄冷剤５３を冷却・冷凍し、特定低温室４９内に流入することで、特定低温室４９内に配置された食品が冷却される。
【００３４】
特定低温室４９内の温度が所定の設定温度に達したことを特定低温室温度検知手段５４が検知すると、ツインダンパ４５の特定低温室用フラップ４５ｂは閉状態となり、冷蔵室３２内の温度が所定の設定温度に達したことを冷蔵室温度検知手段４８が検知すると、ツインダンパ４５の冷蔵室用フラップ４５ａは閉状態となる。また、上段冷凍室３４内や下段冷凍室３５内の温度が所定の設定温度に達したことを下段冷凍室温度検知手段４４が検知すると、圧縮機３８と冷却用ファン４０は停止する。
【００３５】
冷却器３９の下方には、冷却器３９に付着した霜を定期的に取り除く霜取り用ヒータ４１を配置している。
【００３６】
蓄冷剤５３は、水とゲル剤（高分子材料）、保存料、着色料を混合し、凝固点を下げた溶液をポリプロピレン製プラスチック容器や丈夫なナイロン袋、またはアルミ袋等の中に封入したものである。ここでは、蓄冷剤５３の凝固点は、特定低温室ダクト５０内を流れる冷気の温度で凍結可能な約−７℃〜０℃に設定されている。
【００３７】
上記のように、冷蔵室３２内に設けた特定低温室４９の冷却用ダクト５２内に蓄冷剤５３を設けた構成となっているため、蓄冷剤５３の配置による冷蔵庫８０の食品収納量の減少を防止することができる。
【００３８】
また、食品取り出し時や食品投入時に行う扉開閉や特定低温室ケース５５の出し入れに
より、特定低温室４９内に暖かい外気が流入することや、温度の高い食品が投入されると、特定低温室４９の室内の温度が上昇する。この温度上昇が大きい程、特定低温室４９内を冷却するエネルギーが必要となるため、冷蔵庫８０の消費電力量は増大するが、蓄冷剤５３の潜熱による蓄冷効果により、特定低温室４９の室内の温度の上昇を抑制でき、食品の保鮮性を向上し、省エネルギーな冷蔵庫を提供できる。
【００３９】
さらに、冷蔵室３２や上段冷凍室３４、下段冷凍室３５や特定低温室４９の室内の温度が所定の設定温度以下に冷却されると、ツインダンパ４５の冷蔵室用フラップ４５ａや特定低温室用フラップ４５ｂは閉状態となり、圧縮機３８と冷却用ファン４０は停止し、停止している間は冷却されないため、特定低温室４９の室内の温度は上昇するが、この場合も蓄冷剤５３の潜熱による蓄冷効果により、特定低温室４９の室内の温度の上昇を抑制でき、食品の保鮮性を向上し、省エネルギーな冷蔵庫を提供できる。
【００４０】
またさらに、冷蔵庫８０の運転により、冷却器３９には霜が着き冷却能力が低下するため、定期的に、圧縮機３８と冷却用ファン４０を停止させた状態で、霜取り用ヒータ４１に通電し、その熱でもって冷却器３９に付着した霜を融解することで、霜取りを行うが、圧縮機３８が停止していることと、霜取り用ヒータ４１からの熱影響で、特定低温室４９の室内の温度が上昇するが、この場合も蓄冷剤５３の潜熱による蓄冷効果により、特定低温室４９の室内の温度の上昇を抑制でき、食品の保鮮性を向上し、省エネルギーな冷蔵庫を提供できる。
【００４１】
以上のように、本発明の冷蔵庫は、冷蔵室３２内に設けた特定低温室４９の冷却用ダクト５２内に蓄冷剤５３を設けたものである。これによって、蓄冷剤５３の配置による冷蔵庫８０の食品収納量の減少を防止することができるとともに、蓄冷剤５３の持つ潜熱を有効利用することにより、扉開閉や特定低温室ケース５５の出し入れによる室内への外気流入や、温度の高い食品を投入された場合、または圧縮機３８が停止した場合、さらには霜取り時の室内の温度の上昇をおさえることで食品保鮮性と省エネルギー性を向上することができる。
【００４２】
（実施の形態２）
図４は、本発明の実施の形態２における冷蔵庫の正面図、図５は、同実施の形態２における図４のＣ−Ｃ断面図、図６は、同実施の形態２における冷蔵庫の冷蔵室内部の正面図を示すものである。尚、実施の形態１と同一の構成については、同一の符号を付与し、詳細な説明を省略する。
【００４３】
図４、図５及び図６において、冷蔵庫８０は、冷蔵庫本体３１の上部に冷蔵室３２が設けられ、冷蔵室３２には、その前面に観音開きの冷蔵室左扉３２ａ及び冷蔵室右扉３２ｂが設けられている。冷蔵室３２内には特定低温室４９が設けられ、特定低温室４９には食品を収納する特定低温室ケース５５が設けられている。冷蔵室３２の左下には製氷室３３が設けられ、製氷室３３は前面に製氷室扉３３ａを備えている。冷蔵室３２の右下には上段冷凍室３４が設けられ、上段冷凍室３４は前面に上段冷凍室扉３４ａを備えている。製氷室３３と上段冷凍室３４の下には下段冷凍室３５が設けられ、下段冷凍室３５は前面に下段冷凍室扉３５ａを備えている。下段冷凍室３５の下には野菜室３６が設けられ、野菜室３６は前面に野菜室扉３６ａを備えている。
【００４４】
上段冷凍室３４とその下方に位置する下段冷凍室３５は、前方仕切板３７と上段冷凍室扉３４ａの下辺が当接し、下段冷凍室扉３５ａの上辺が当接することで構成されている。また、上段冷凍室３４とその下方に位置する下段冷凍室３５は、同じ冷凍温度帯の区画であるため、一般的には、上下方向で分割する断熱仕切りは存在せず、連通しているか、連通口を設けた簡易的な仕切板が設けられている。
【００４５】
冷蔵室３２の背面には、冷蔵室３２の冷却を行う冷蔵室用ダクト４６が設けられ、冷蔵室３２内の下部に備えた特定低温室４９の背面には特定低温室ダクト５０及び特定低温室４９の天面には、内部に蓄冷剤５３を配置した冷却用ダクト５２が設けられている。
【００４６】
また、冷蔵室用ダクト４６内の下部および特定低温室ダクト５０内の下部には、それぞれのダクトに対応したフラップを共通の駆動源で動作させるツインダンパ４５を備えている。なお、特定低温室の室内の温度は、ここでは、約−５℃から１℃に設定されている。
【００４７】
以上のように構成された本発明の実施の形態２における冷蔵庫について、以下その動作を説明する。
【００４８】
冷蔵庫８０の通常運転時は、食品取出し時や食品投入時の冷蔵室右扉３２ｂや上段冷凍室扉３４ａ、下段冷凍室扉３５ａの開閉や特定低温室ケース５５の出し入れにより冷蔵室３２や上段冷凍室３４、下段冷凍室３５や特定低温室４９の室内の温度が上昇すると、冷蔵室温度検知手段４８や下段冷凍室温度検知手段４４、特定低温室温度検知手段５４がこれを感知して圧縮機３８が運転され、冷却器３９が冷却される。同時に、冷却用ファン４０が運転され、冷気が上段冷凍室用吹出口４２から上段冷凍室３４に流入し、下段冷凍室用吹出口４３から下段冷凍室３５に流入することで、上段冷凍室３４内や下段冷凍室３５内に配置された食品が冷却される。
【００４９】
また、ツインダンパ４５の冷蔵室用フラップ４５ａが開状態となり、冷却用ファン４０の運転により吹き出した冷気は、冷蔵室用ダクト４６内を通過し、冷蔵室吹出口４７から冷蔵室３２内に流入することで、冷蔵室３２内に配置された食品が冷却される。
【００５０】
さらに、ツインダンパ４５の特定低温室用フラップ４５ｂが開状態となり、特定低温室用ファン５６が運転され、冷却用ファン４０の運転により吹き出した冷気は、特定低温室ダクト５０内を通過し、特定低温室吹出口５１から冷却用ダクト５２内に設けた蓄冷剤５３を冷却・冷凍し、特定低温室４９内に流入することで、特定低温室４９内に配置された食品が冷却される。
【００５１】
特定低温室４９内の温度が所定の設定温度に達したことを特定低温室温度検知手段５４が検知すると、ツインダンパ４５の特定低温室用フラップ４５ｂは閉状態となり、特定低温室用ファン５６は停止し、冷蔵室３２内の温度が所定の設定温度に達したことを冷蔵室温度検知手段４８が検知すると、ツインダンパ４５の冷蔵室用フラップ４５ａは閉状態となる。また、上段冷凍室３４内や下段冷凍室３５内の温度が所定の設定温度に達したことを下段冷凍室温度検知手段４４が検知すると、圧縮機３８と冷却用ファン４０は停止する。
【００５２】
冷却器３９の下方には、冷却器３９に付着した霜を定期的に取り除く霜取り用ヒータ４１を配置している。
【００５３】
蓄冷剤５３は、水とゲル剤（高分子材料）、保存料、着色料を混合し、凝固点を下げた溶液をポリプロピレン製プラスチック容器や丈夫なナイロン袋、またはアルミ袋等の中に封入したものである。ここでは、蓄冷剤５３の凝固点は、特定低温室ダクト５０内を流れる冷気の温度で凍結可能な約−７℃〜０℃に設定されている。
【００５４】
上記のように、冷蔵室３２内に設けた特定低温室４９の冷却用ダクト５２内に蓄冷剤５３を設けた構成となっているため、蓄冷剤５３の配置による冷蔵庫８０の食品収納量の減少を防止することができる。
【００５５】
また、食品取り出し時や食品投入時に行う扉開閉や特定低温室ケース５５の出し入れにより、特定低温室４９内に暖かい外気が流入することや、温度の高い食品が投入されると、特定低温室４９の室内の温度が上昇する。この温度上昇が大きい程、特定低温室４９内を冷却するエネルギーが必要となるため、冷蔵庫８０の消費電力量は増大するが、蓄冷剤５３の潜熱による蓄冷効果により、特定低温室４９の室内の温度上昇を抑制でき、食品の保鮮性を向上し、省エネルギーな冷蔵庫を提供できる。
【００５６】
さらに、冷蔵室３２や上段冷凍室３４、下段冷凍室３５や特定低温室４９の室内の温度が所定の設定温度以下に冷却されると、ツインダンパ４５の冷蔵室用フラップ４５ａや特定低温室用フラップ４５ｂは閉状態となり、圧縮機３８と冷却用ファン４０は停止し、停止している間は冷却されないため、特定低温室４９の室内の温度は上昇するが、この場合も蓄冷剤５３の潜熱による蓄冷効果により、特定低温室４９の室内の温度の上昇を抑制でき、食品の保鮮性を向上し、省エネルギーな冷蔵庫を提供できる。蓄冷剤５３の潜熱による蓄冷効果をより発揮するために、ツインダンパ４５の特定低温室用フラップ４５ｂが閉状態となり、圧縮機３８が停止している場合も、特定低温室用ファン５６を運転しても良い。
【００５７】
またさらに、冷蔵庫８０の運転により、冷却器３９には霜が着き冷却能力が低下するため、定期的に、圧縮機３８と冷却用ファン４０を停止させた状態で、霜取り用ヒータ４１に通電し、その熱でもって冷却器３９に付着した霜を融解することで、霜取りを行うが、圧縮機３８が停止していることと、霜取り用ヒータ４１からの熱影響で、特定低温室４９の室内の温度が上昇するが、この場合も蓄冷剤５３の潜熱による蓄冷効果により、特定低温室４９の室内の温度の上昇を抑制でき、食品の保鮮性を向上し、省エネルギーな冷蔵庫を提供できる。蓄冷剤５３の潜熱による蓄冷効果をより発揮するために、霜取りを行っている場合も、特定低温室用ファン５６を運転しても良い。
【００５８】
以上のように、本発明の冷蔵庫は、冷蔵室３２内に設けた特定低温室４９の冷却用ダクト５２内に蓄冷剤５３を設け、特定低温室４９の背面に配置した特定低温室ダクト５０内に特定低温室用ファン５６を設けたものである。これによって、蓄冷剤５３の配置による冷蔵庫８０の食品収納量の減少を防止することができるとともに、蓄冷剤５３の持つ潜熱を有効利用することにより、扉開閉や特定低温室ケース５５の出し入れによる室内への外気流入や、温度の高い食品を投入された場合、または圧縮機３８が停止した場合、さらには霜取り時の室内の温度の上昇をおさえることで食品保鮮性と省エネルギー性を向上することができる。
【産業上の利用可能性】
【００５９】
以上のように、本発明にかかる冷蔵庫は、扉開閉による室内への外気流入や、温度の高い食品を投入された場合、または圧縮機が停止した場合、さらには霜取り時の室内の温度の上昇をおさえることで食品保鮮性と省エネルギー性を向上することができる。
【符号の説明】
【００６０】
３２  冷蔵室
３２ｂ  冷蔵室右扉
３４  上段冷凍室
３４ａ  上段冷凍室扉
３５  下段冷凍室
３５ａ  下段冷凍室扉
３６  野菜室
３６ａ  野菜室扉
３７  前方仕切板
３８  圧縮機
３９  冷却器
４０  冷却用ファン
４１  霜取り用ヒータ
４２  上段冷凍室用吹出口
４３  下段冷凍室用吹出口
４４  下段冷凍室温度検知手段
４５  ツインダンパ
４５ａ  冷蔵室用フラップ
４５ｂ  特定低温室用フラップ
４６  冷蔵室用ダクト
４７  冷蔵室吹出口
４８  冷蔵室温度検知手段
４９  特定低温室
５０  特定低温室ダクト
５１  特定低温室吹出口
５２  冷却用ダクト
５３  蓄冷剤
５４  特定低温室温度検知手段
５５  特定低温室ケース
５６  特定低温室用ファン
【図１】
2013190126.tif 000003
【図４】
2013190126.tif 000004
【図２】
2013190126.tif 000005
【図３】
2013190126.tif 000006
【図５】
2013190126.tif 000007
【図６】
2013190126.tif 000008
【図７】
2013190126.tif 000009
【図８】
2013190126.tif 000010
【図９】
2013190126.tif 000011